(57)【要約】【課題】プリーツカーテン基体に装飾模様を立体的に発生させて付加価値を高める。【解決手段】複数条の主折り目１３が所要の間隔で平行に付けられており、隣り合う主折り目の曲折方向が互いに逆向きになり、一方の主折り目を他方の主折り目に相対して突出した主山折り目１１とし、他方の主折り目を一方の主折り目に相対して窪んだ主谷折り目１２とし、主山折り目と主谷折り目が交互に続くプリーツカーテン基体１０において、任意の主折り目に隣り合う一方の主折り目側の平板部１４ａと他方の主折り目側の平板部１４ｂに、任意の主折り目に交叉して続く切れ目１５を付け、それら２つの平板部に、切れ目の端部１６を通って主折り目の長さ方向に続く副折り目を付け、任意の主折り目１３を切れ目１５を境に片側を逆向きに折り返した逆折り目１８とし、副折り目と逆折り目の曲折方向を互いに逆向きにする。【選択図】図１
2007262671.tif 000002
【特許請求の範囲】
【請求項１】
（イ）  複数条の主折り目（１３）が所定の間隔で平行に付けられており、
（ロ）  隣り合う主折り目（１３・１３）が互いに逆向きに折り畳まれた山折り目（１１）と谷折り目（１２）となっており、
（ハ）  主折り目（１３）に交叉する切れ目（１５）が付けられており、
（ニ）  切れ目（１５）が交叉して付けられている主折り目（１３）が、その切れ目（１５）を境に曲折方向が反転した山折り目（１３・１８）と谷折り目（１８・１３）とに分割されていることを特徴とするプリーツカーテン基体。
【請求項２】
切れ目（１５）の端部（１６）から、その切れ目（１５）を境に反転した主折り目（１８）の長さ方向に続く副折り目（１７）が付けられていることを特徴とする前掲請求項１に記載のプリーツカーテン基体。
【請求項３】
プリーツカーテン基体（１０）が繊維によって構成されており、折り目（１３・１７・１８）における繊維が、折り目以外の部分（１４）における繊維とは異なる形態に変化していることを特徴とする前掲請求項１と２の何れかに記載のプリーツカーテン基体。
【発明の詳細な説明】
【技術分野】
【０００１】
本発明は、折畳式カーテン襞として複数条の折り目が形成されたプリーツカーテン基体に関するものである。
【背景技術】
【０００２】
従来のプリーツカーテン基体は、所定の間隔で折り目が形成されているだけなので、変化のない単調な外観を呈している。
そのようなプリーツカーテン基体を用いたプリーツカーテンは、屋内装飾品と言うよりは、専ら遮光性や遮視性等の物性機能を主目的として使用される建築資材としての印象を与え、屋内装飾材としての需要は限定的であった。
【０００３】
プリーツカーテン基体の装飾性を高めるために、折り目の間隔をランダムにしたプリーツカーテン基体が公知である（例えば、特許文献１）。
然しながら、折り目の間隔がランダムなプリーツカーテン基体では、これによると、折り目間のランダムな間隔に起因して折り目に高低差が発生し、在来品に比して外観に変化が見られるものの、その高低差による外観の変化の度合いが単調で格別立体感を感得し得る変化とは言い難い。
【０００４】
【特許文献１】特開平１０−７７７７３号公報
【発明の開示】
【発明が解決しようとする課題】
【０００５】
そこで、本発明は、プリーツカーテン基体に装飾模様を立体的に発生させ、屋内装飾品として付加価値の高い斬新なプリーツカーテンを提供することを目的とする。
【課題を解決するための手段】
【０００６】
本発明に係るプリーツカーテン基体は、（イ）  複数条の主折り目１３が所定の間隔で平行に付けられており、（ロ）  隣り合う主折り目１３・１３が互いに逆向きに折り畳まれた山折り目１１と谷折り目１２となっており、（ハ）  主折り目１３に交叉する切れ目１５が付けられており、（ニ）  切れ目１５が交叉して付けられている主折り目１３が、その切れ目１５を境に曲折方向が反転した山折り目１３（１８）と谷折り目１８（１３）とに分割されていることを第１の特徴とする。
【０００７】
本発明に係るプリーツカーテン基体の第２の特徴は、上記第１の特徴に加えて、切れ目１５の端部１６から、その切れ目１５を境に反転した主折り目（１８）の長さ方向に続く副折り目１７が付けられている点にある。
【０００８】
本発明に係るプリーツカーテン基体の第３の特徴は、上記第１、第２の何れかの特徴に加えて、プリーツカーテン基体１０が繊維によって構成されており、折り目（１３・１７・１８）における繊維が、折り目以外の部分１４における繊維とは異なる形態に変化している点にある。
【発明の効果】
【０００９】
本発明によれば、プリーツカーテン基体において、所定の間隔で規則的に設けられた主折り目１３に対して間隔の不規則な副折り目１７を付設することで、一定の落ち着きのある中にも立体的な変化のある美観を呈する。
【００１０】
また、プリーツカーテン基体において、切れ目１５によって主折り目１３の一部を突出、或いは、窪み込んだ副折り目１７とすると、その主折り目１３と副折り目１７の間に隙間１９が発生し、その隙間１９から木漏れ陽のような光が差し込み、光輝模様が顕現して情趣ある採光を楽しむことが出来る。
【００１１】
そして更に、主折り目１３や副折り目１７、或いは、切れ目１５は、プリーツカーテン基体１０にレーザービームを照射して形成し、折り目（１３・１７・１８）における繊維を、折り目以外の部分１４における繊維とは異なる形態に変化させることが出来、従来技術におけるようにプリーツ加工機によってプリーツカーテン基体を部分的に切断してプレスセットする煩雑な作業を伴わず、自由度の高い加工によってプリーツカーテン基体を効率的に生産することが出来る。
【００１２】
このように、本発明のプリーツカーテン基体は、機能性と装飾性を兼備し、効率的に得ることが出来るので、その用途拡大を図る上で、本発明は頗る好都合である。
【発明を実施するための最良の形態】
【００１３】
図１は、本発明のプリーツカーテン基体１０を使用した昇降開閉式プリーツカーテンの斜視図であり、その一部を円で囲んで拡大して図示している。
プリーツカーテン基体１０の上端は、ヘッドボックス５０に固定されており、その下端にはボトムレール５１が装着されている。
プリーツカーテン基体１０には、上下方向に所定の間隔で複数条の主折り目１３（１１，１２，１１，１２，１１，１２………）が繰り返しセットされており、表裏にジグザグした側面形状となっている。
プリーツカーテン基体１０の左右両端部の隣り合う主折り目１１（１３）と主折り目１２（１３）の間の中間部付近に、昇降コード５２の挿通する昇降コード挿通孔５３が穿設されている。
プリーツカーテン基体１０の左右両端部の各昇降コード挿通孔５３には、それぞれヘッドボックス５０の左右両端部から昇降可能に垂下された昇降コード５２が挿通されている。
昇降コード５２は、ボトムレール５１で左右向き合う他端へと折り返され、再度、プリーツカーテン基体１０の左右両端部に挿通され、その端末は、ヘッドレール５０に固定されている。
昇降コード５２は、ヘッドボックス内５０に引き込まれ、そのヘッドボックス５０の長手方向に誘導され、ヘッドボックス内５０に設けられたコードストッパ５５を介してヘッドボックス５０の片端から引き出され、操作部５４に連結されている。
【００１４】
プリーツカーテンの開閉操作は、先ず操作部５４を引き、ヘッドボックス５０から垂下している昇降コード５２をヘッドボックス５０内へと引き込む。
ボトムレール５１は、そのヘッドボックス５０から垂下している昇降コード５２ａ・５２ｂが短くなるにつれて上昇し、プリーツカーテン基体１０の下側から順次畳み上げられ、下側から順次隣り合う主折り目１１（１３）と主折り目１２（１３）との開き角度θが小さくなり、その開き角度θが小さくなるつれて、上下隣り合う昇降コード挿通孔５３と昇降コード挿通孔５３とが鉛直線上に整列し、昇降コード５２が円滑に引き上げられるようになる。
上昇過程のボトムレール５１を所望の高さで停止させたい場合には、ストッパ５５を締結して昇降コード５２を把持させる。
そのとき、上側の開き角度θの大きい部分では、昇降コード５２は、挿通孔５３に圧接し、挿通孔５３から強い摩擦抵抗を受けた状態にあるので、主折り目１１（１３）と主折り目１２（１３）の間が広がった閉止状態に維持され、下側の主折り目１１（１３）と主折り目１２（１３）の間は、折り畳まれた開口状態に維持される。
こうして、プリーツカーテン基体１０は、任意の高さまで開いたままの状態におかれることになる。
左右の昇降コード（５３ａ，５３ｂ）の中の一方の昇降コード５３ａ（５３ｂ）だけを操作すれば、プリーツカーテン基体１０の片側だけが開閉されることになる。
【００１５】
プリーツカーテン基体１０には、（ａ）  複数条の主折り目１３が所要の間隔で平行に付けられており、（ｂ）  隣り合う主折り目１３・１３の曲折方向が互いに逆向きになり、その一方の主折り目が他方の主折り目に相対して突出した主山折り目１１を構成し、その他方の主折り目が一方の主折り目に相対して窪んだ主谷折り目１２を構成しており、（ｃ）  主山折り目１１と主谷折り目１２が交互に続いている。（ｄ）  任意の主折り目１３に隣り合う一方の主折り目１３ａと任意の主折り目１３の間の平板部１４ａと、その任意の主折り目１３に隣り合う他方の主折り目１３ｂと任意の主折り目１３の間の平板部１４ｂとの２つの隣り合う平板部１４ａ・１４ｂに、その任意の主折り目１３に交叉して続く切れ目１５が付けられており、（ｅ）  それら隣り合う２つの平板部１４ａ・１４ｂのそれぞれに、その切れ目１５の端部１６・１６を通って主折り目１３の長さ方向に続く副折り目１７・１７が付けられており、（ｆ）  その任意の主折り目１３の切れ目１５を境とする片側が、他の片側とは逆向きに折り返された逆折り目１８となっており、（ｇ）
副折り目１７と逆折り目１８との曲折方向が互いに逆向きになっており、その任意の折り目１３と副折り目１７との曲折方向が同じ方向になっている。
２つの隣り合う平板部１４ａ・１４ｂの副折り目１７の通る切れ目１５・１５の端部１６・１６から逆折り目１８（任意の主折り目１３）までの距離は等しくするとよい。
【００１６】
図１に図示するプリーツカーテン基体の円Ａで囲んで示す部分では、（ｈ）  任意の主折り目１３を境に隣り合う２つの平板部１４ａ・１４ｂに、その任意の主折り目１３に交叉して続く複数条の切れ目が付けられており、（ｉ）  その複数条の切れ目の中の隣り合う２つの切れ目１５ａ・１５ｂの間で副折り目１７が連続している。
副折り目１７は主折り目１３に平行になっており、主折り目が主谷折り目１２を成す場合は、主山折り目１１と主山折り目１１との間の谷間に突き出た山折り目を形成することになり、主折り目１３が主山折り目を成す場合は、その稜線が窪んだ谷折り目を形成することになる。
【００１７】
図１に図示するプリーツカーテン基体の円Ｂで囲んで示す部分では、副折り目１７がプリーツカーテン基体の端縁２２まで連続している。
副折り目１７は主折り目１３に平行になっており、主折り目が主谷折り目１２を成す場合は、主山折り目１１と主山折り目１１との間の谷間に突き出た山折り目を形成することになり、主折り目１３が主山折り目を成す場合は、その稜線が窪んだ谷折り目を形成することになる。
【００１８】
図１に図示するプリーツカーテン基体の円Ｃで囲んで示す部分では、副折り目１７が主折り目１３に交叉しており、主折り目が主谷折り目１２を成す場合は、主山折り目１１と主山折り目１１との間の谷間に突き出た三角錐状山折り目を形成することになり、主折り目１３が主山折り目を成す場合は、その稜線が窪んだ三角錐状谷折り目を形成することになる。
【００１９】
これらの部分Ａ・Ｂ・Ｃが示すように、任意の主折り目１３に交叉する切れ目１５の数は、奇数個（１個を含む）でも偶数個でもよく、切れ目１５の長さ、或いは、任意の主折り目１３と副折り目１７との成す角度αを変えて、形や高さの異なる凹凸２０・２１によってプリーツカーテン基体１０に立体感を付与して装飾性を高めることが出来る。
【００２０】
切れ目１５は、主折り目１３に直交する直線とすることは必ずしも必要でなく、図１に図示するプリーツカーテン基体の円Ｄで囲んで示す部分の切れ目１５のように曲折した曲線を成すものでもよい。この場合、２つの隣り合う平板部１４ａ・１４ｂの副折り目１７の通る切れ目１５・１５の端部１６・１６から逆折り目１８（任意の主折り目１３）までの距離を等しくする。
【００２１】
切れ目１５において、主折り目１３の曲折方向が逆向きになった逆折り目１８を形成するときは、切れ目１５が開かれて隙間１９が出来て漏光が発生する。
このため、切れ目１５を模様状に点在させ、切れ目１５において形成される凹部２０や凸部２１の形状を変えて、プリーツカーテン基体１０の装飾性を更に高めることが出来る。
【００２２】
プリーツカーテン基体１０の隣り合う平板部１４ａ・１４ｂの間では一定の開き角度θが保たれ、その開き角度θは副折り目１７や逆折り目と平板部１４の間でも保たれる。
従って、プリーツカーテン基体１０の開閉過程で、切れ目１５において形成される凹凸２０・２１が消失することはない。
【００２３】
プリーツカーテン基体には、紙、プラスチック複層フィルム、合成皮革、人工皮革、不織布、織物、編物等が使用される。
人工皮革、不織布、織物、編物を使用する場合、ナイロン、ビニロン、ポリプロピレン繊維、ポリエステル繊維、アクリル繊維等の熱可塑性合成繊維によってプリーツカーテン基体を構成するとよい。
【００２４】
切れ目１５は、主折り目１３を付けてからレーザービームカッター、例えば、ＣＯ2 レーザー照射装置（ｃｏｈｅｒｅｎｔ社製Ｇ−１００）を使用して付けるとよい。
しかし、そのようにレーザービームカッターを使用する場合には、折り目（１３、１７、１８）となる部分にレーザービームを照射してミシン目を入れ、同時に、レーザービームを照射して切れ目１５を付けることも出来る。
勿論、主折り目１３は、プリーツカーテン基体を所定の間隔で折り畳み、加熱セットして付けることも出来る。
【００２５】
熱可塑性合成繊維になるプリーツカーテン基体１０にレーザービームカッターを適用すると、主折り目１３と副折り目１７と逆折り目１８、および、切れ目１５における繊維は、平板部１４における繊維と異なる形態に変形し、折り畳むことなく折り目（１３，１７，１８）を付設することが出来、切れ目１５では繊維が融着して解れ予防となるので好都合である。
【００２６】
図１に図示するプリーツカーテン基体の円Ｄで囲んで示す部分のように、副折り目１７や逆折り目１８には、前記任意の主折り目１３と同様に交叉する切れ目を付け、副折り目１７や逆折り目１８に沿って生じる凹部２０や凸部２１に更なる凹凸２３を付設することも出来る。
【００２７】
プリーツカーテン基体１０は、図１に図示するように、主折り目１３を水平方向に向けて使用するほか、主折り目１３を垂直方向に向けて使用することも、又、斜め方向に向けて使用することも出来る。
又、プリーツカーテン基体１０は、窓際に垂して使用するほか、ガラス板が二重に組み込まれた複層ガラス窓のガラス板とガラス板の間に組み込んで使用することも出来る。
【図面の簡単な説明】
【００２８】
【図１】本発明に係るプリーツカーテン基体を使用したプリーツカーテンの斜視図である。
【符号の説明】
【００２９】
１０：プリーツカーテン基体
１１：主山折り目
１２：主谷折り目
１３：主折り目
１４：平板部
１５：切れ目
１６：端部
１７：副折り目
１８：逆折り目
１９：隙間
２０：凹部
２１：凸部
２２：端縁
２３：凹凸
５０：ヘッドボックス
５１：ボトムレール
５２：昇降コード
５３：昇降コード挿通孔
５４：操作部
５５：ストッパ
【図１】
2007262671.tif 000003